【手続補正書】
【提出日】平成16年11月15日(2004.11.15)
【手続補正１】
【補正対象書類名】明細書
【補正対象項目名】全文
【補正方法】変更
【補正の内容】
【書類名】      明細書
【発明の名称】  防振用床支持脚及びこれを用いた床支持構造
【特許請求の範囲】
【請求項１】  下端の防振ゴムを介して床下地を床スラブに対して浮かし支持する防振用床支持脚であって，上記下端の防振ゴムを，ゴム硬度６８度以下の軟質にして裁頭面を底面とする裁頭逆円錐体状のブロック形状とし且つ中央位置に上下方向に向けた保形用穿孔を配置するとともに外周を内側に凹陥した凹陥逆錐面とすることによって耐圧縮膨張性を確保してなることを特徴とする防振用床支持脚。
【請求項２】  請求項１に記載の防振用床支持脚を用い，該床支持脚を介して床下地を床スラブに対して浮かし支持してなることを特徴とする床支持構造。
【発明の詳細な説明】
【０００１】
【発明の属する技術分野】  本発明は，マンション，オフィスビル等の各種建築物において床スラブ上に床下地を配置するに用いる防振用床支持脚に関する。
【０００２】
【従来の技術】  この種防振用床支持脚は，一般に下端の防振ゴムと，該防振ゴムに下部を埋め込み起立した高さ調整用ボルトと，該ボルトに螺装してこれを回転自在とするナットを埋め込み固定した床下地支持用幅広の支持ブロックとを備えたものとされ，隣接する床下地間でボルトの回転調整を可能とするとともに該隣接する床下地の外周端部下面双方に上記支持ブロックが跨るように所定間隔に防振用床支持脚を配置し，床下地間の空隙からボルトを回転することによって高さを調整して水平を確保して，上記防振ゴムの底面が，建築物の上下階を画する床スラブに接触載置した状態で該床下地を床スラブに浮かし支持するものとされ，このとき上記防振ゴムは，これを，例えば裁頭円錐形のブロック形状としたものとされ，例えばそのゴム硬度は，これを７０度以上８０度以下とする比較的硬質系のものを用いるものとされている。
【０００３】
【発明が解決しようとする課題】  この場合相当程度の防振性が得られ，床に加えられる振動音等の騒音が，コンクリートの床スラブを介して階下に伝達するのをある程度減少することが可能となるが，その防振性は必ずしも充分に満足し得るものではなく，防振性を更に向上することが求められている。
【０００４】  床支持脚の防振性は一般に防振ゴムの防振性能に依存するから，防振ゴムのゴム硬度を低下，即ち軟質化するようにすれば，床に加えられる振動を吸収し易く，防振性を向上し得ることになるが，ゴム硬度を低下すると，床加重を受けることによって，床支持脚下端の防振ゴムが変形し易くなり，その結果床支持脚によって床スラブに浮かし支持する床下地の支持が不安定になり，人の生活空間をなす床として必要とされる床剛性が損なわれる結果となり，従って防振性の向上が求められながらも，必要な床剛性を保持しつつ，これを実現することは困難であるとされる。
【０００５】  本発明はかかる事情に鑑みてなされたもので，その解決課題とするところは，床剛性を損なうことなく，可及的高度の防振性を確保し得るようにした防振用床支持脚及びこれを用いた床支持構造を提供するにある。
【０００６】
【課題を解決するための手段】  上記課題に沿って検討したところ，ゴム硬度を，従来の下限７０度を下回る６８度以下の軟質として床に加えられる振動を吸収することによって防振ゴムの防振性を向上する一方，該防振ゴムを，裁頭面を底面とする裁頭逆円錐体状のブロック形状とし，中央位置に上下方向に向けた保形用の穿孔を配置し且つ外側面を内側に凹陥した凹陥逆錐面として構成することによって，（ａ）上記裁頭逆円錐体状のブロック形状が，防振ゴムの床スラブに対する接触面積を小さくして防振ゴムの接触による床スラブへの騒音伝達を減少して防振性を向上するとともに断面積を下方に向けて縮小することによって床加重に対するそれ自体の耐圧縮膨張性を確保したものとする上，（ｂ）上記保形用の穿孔が，床加重による防振ゴムの耐圧縮膨張性を更に確保して高度な保形作用を発揮し，（ｃ）外側面の内側に凹嵌した凹陥逆錐面が，同じく耐圧縮膨張性を更に向上して床剛性を確保するようにして，軟質のゴムを使用することによる高度な防振性とブロック形状による床剛性を両立するようにしたものであって，即ち請求項１に記載の発明を，下端の防振ゴムを介して床下地を床スラブに対して浮かし支持する防振用床支持脚であって，上記下端の防振ゴムを，ゴム硬度６８度以下の軟質にして裁頭面を底面とする裁頭逆円錐体状のブロック形状とし且つ中央位置に上下方向に向けた保形用穿孔を配置するとともに外周を内側に凹陥した凹陥逆錐面とすることによって耐圧縮膨張性を確保してなることを特徴とする防振用床支持脚としたものである。
【０００７】  請求項２に記載の発明は，上記防振用床支持脚を用いることによって軟質のゴムを使用して高度な防振性によって階下に対する騒音伝達を可及的に防止するとともに高度な床剛性を確保した床支持構造を提供するように，これを，請求項１に記載の防振用床支持脚を用い，該床支持脚を介して床下地を床スラブに対して浮かし支持してなることを特徴とする床支持構造としたものである。
【０００８】  なお本発明において「裁頭」とは，錐体としての頭部（頂部）を裁断する意味であるが，逆錐体状のブロック形状においてこの頭部は反転することによって底面をなす側の部分に該当する。
【０００９】
【発明の実施の形態】  以下図面の例に従って本発明を更に具体的に説明すれば，１は防振用床支持脚，１１はその下端の防振ゴム，２は床スラブ，３は床，３１はその床下地であり，上記防振用床支持脚１は，下端の防振ゴム１１を介して床下地３１を床スラブ２に対して浮し支持するようにした床支持構造をなすように用いるものとしてある。
【００１０】  即ち防振用床支持脚１は，上記下端の防振ゴム１１と，該防振ゴム１１に樹脂のワッシャ−プレート１４を介して埋め込み起立した高さ調整用ボルト１５と，該ボルト１５に螺装してこれを回転自在とするナット１６を埋め込み固定した床下地３１支持用幅広の支持ブロック１７とを備えたものとしてあり，隣接する床下地３１，本例にあってはパーティクルボードによる隣接する下地パネル間で上記ボルト１５の回転調整を可能とするとともに該隣接する床下地３１の外周端部下面双方に上記支持ブロック１７が跨るように所定間隔に防振用床支持脚１を配置し，床下地３間の空隙からボルト１５を回転することによって高さを調整して水平を確保して，上記防振ゴム１１の底面が，建築物の上下階を画する床スラブ２に接触載置した状態で該床下地３１を床スラブ２に浮かし支持する床支持構造をなすように使用するものとしてあり，上記床３は，浮かし支持した水平の床下地３１上に，例えば制振マット３２を，また該制振マット３２上に，例えば突板仕上の床合板３３を敷設配置することによって床仕上げを施して，これを構成するものとしてある。
【００１１】  このとき上記床支持脚１の上記防振ゴム１１は，これを，ゴム硬度６８度以下の軟質にして裁頭面を底面とする裁頭逆円錐体状のブロック形状とし且つ中央位置に上下方向に向けた保形用穿孔１２を配置するとともに外周を内側に凹陥した凹陥逆錐面とすることによって耐圧縮膨張性を確保したものとしてある。
【００１２】  即ち本例の防振ゴム１１は，例えば天然ゴム系又は合成ゴム系のうち，天然ゴムにカーボン粉末を所定量混合してゴム硬度を調整するようにした天然ゴム系のものを使用して上記裁頭逆円錐体状のブロック形状をなすように，例えば成型によって形成したものとしてあり，このとき該防振ゴム１１は，本例にあって内側に凹嵌した凹嵌逆錐面を備えたものとし，本例にあって該凹嵌逆錐面は，中心を底面近傍乃至底面下方の離隔位置として最大径の上面より径大にして内側に凹嵌した円弧面によるものとし，また上記保形用の穿孔１２を円筒状の形状としたものとしてある。
【００１３】  このとき防振ゴム１１は，そのゴム硬度を，従来の防振ゴムにおけるゴム硬度の下限とされる７０度を下回る６８度以下としてあり，本例にあっては防振性及び防振ゴムとしての強度確保の双方を満足する，例えば６５度±３度とし，このとき本例の防振ゴム１１は防振性及び強度の確保に最も好ましい，例えば６５度程度のゴム硬度とするように，上記ブロック形状としての成型を行なったものとしてあり，これによって防振ゴム１１を軟質化し，その防振性を高度に確保し得るようにしてある。
【００１４】  本例の防振ゴム１１は，例えば上面の径を４ｃｍ程度，下面の径を３ｃｍ程度，高さを２．５ｃｍ程度のものとしてあり，また上記凹嵌逆錐面は，これを，例えば防振ゴム１１の上下方向の全体に亘って，外周の錐面を内側に凹嵌する円弧面とするように配置してあり，該凹嵌面の円弧面は，例えば該防振ゴム１１の底面を側方に延長した延長線上に位置するように中心を配置し，防振ゴム１１における最大径をなす上記上面の径を基準にして１．５乃至３倍程度の半径とした径大の円弧面，本例にあっては約２倍程度にして，本例において７乃至８ｃｍの半径を有する真円の円弧面をなすようにしてある。
【００１５】  また上記保形用の穿孔１２は，例えば径を１．５ｃｍ程度，高さ，即ち底面からの深さを１．５乃至２ｃｍ程度，本例にあっては１．７ｃｍ程度とし，上下方向に同一径の円筒形をなす底面に開口する円筒孔としてあり，このとき本例の穿孔１２は，その上端，即ち深さ方向先端において，例えば上記ボルト１５の埋め込み用に設けた，例えばボルト１５の径に合せた７ｍｍ程度の径小な上方ボルト受孔１３の下面とその中心位置において連通したものとしてあり，該ボルト受孔１３に連通することによって成型を容易化するとともに該ボルト受孔１３が径小であることによって，該連通によって穿孔１２の耐圧縮膨張性による保形作用を損なうことのないようにしてある。
【００１６】  このように形成した防振ゴム１１は，これを床支持脚１の下端に配置することによって該床支持脚１に高度な防振性を付与したものとし，防振ゴム１１の，上記裁頭面による底面を床スラブ２に接触載置するように，該床支持脚１を介して床下地３１を床スラブ２に対して浮かし支持する床支持構造をなし，これに床仕上げを行なって上記床３を形成するものとしてあり，このとき床支持脚１による床下地３１支持の施工は，例えば剥離紙１９を剥離することによって露出した仮止め用の接着層１８を介して床下地３１下面の，例えば外周２辺の端部に対して支持ブロック１７を該端部から側方に突出した状態に床支持脚１を仮固定し，先行して配置した床下地３１における同様に側方に突出した支持ブロック１７に，上記支持ブロック非設置側の端部下面を載置仮固定するように配置し，その側方に突出した支持ブロック１７によって更に隣接する床下地３１を同様に配置し，必要に応じてネジ等の固定金具２０による本固定と水平出しのボルト１５の調整等を施すように行なうものとしてある。
【００１７】  本例の防振用床支持脚１は，防振ゴム１１のゴム硬度を低下して軟質のものとすることによって，防振ゴム１１の振動吸収を可及的高度に行なうものとなり，また防振ゴム１１を上記裁頭逆円錐体状として底面の接触面積を小さくしたこととも相俟って床スラブ２に対する騒音伝達を極めて高度に防止し，床支持脚として極限的な防振性を備えたものとすることができ，この床支持脚１を用いた床３は，その階下への騒音伝達の可能性を殆どないものとして，特にマンション等の集合住宅に好適に適用し得るものとなった。
【００１８】  また防振用床支持脚１の防振ゴム１１を，上記円筒状の保形用穿孔１２を有する裁頭逆錐体状，特に裁頭逆円錐体状のブロック形状とし，その逆錐面を内側に凹嵌する凹嵌逆錐面，特に円弧面による凹嵌逆錐面としたことによって，防振ゴム１１の断面積が下方に向けて縮小，特に内側に凹嵌しながら好ましい形態に縮小する結果，防振ゴム１１のブロック形状それ自体が耐圧縮膨張性を備えたものとなるとともに上記円筒状の保形用穿孔１２が，高度な保形作用を発揮して，床加重による防振ゴム１１の圧縮膨張を阻止してブロック形状の保形を確実に行って上記耐圧縮膨張性を極めて高度に確保し，上記床支持脚１を用いた床３における高度な床剛性を確保するものとなり，従って瞬間的に大きな衝撃を受けた場合を含めて，床剛性を損なうことなく，極めて高度な防振性を確保した防振用床支持脚又はこれを用いた床支持構造とすることができる。
【００１９】  因みに単体の上記床支持脚１を用いて，これに加重を負荷しその防振ゴム１１の撓み量を測定した結果，１００ｋｇの加重負荷で５．５ｍｍ，２００ｋｇの加重負荷で１０．１ｍｍであり，その高度な耐圧縮膨張性を有することが確認され，一般の床３において単体の床支持脚１が受ける加重を勘案しても，本例の防振用床支持脚１を用いた床３においてその耐圧縮膨張性とこれによる床剛性が理想的に確保されるものとなし得る。
【００２０】  図中４は，例えば不織布のような多孔質材を円形のリングとし，床スラブ２と床下地３１の空間に相互に側面を接触するように配置し該リング内及びリング間に多数の吸音空間４１を連続的に設置することによって，本例において階下への騒音伝達の可能性を略完全に解消するように使用配置した吸音リングを示す。
【００２１】  図示した例は以上のとおりとしたが，凹嵌逆錐面を波状等に凹凸を有する面とすること，防振ゴムの上記凹嵌逆錐面を円弧面とするとき，その円弧面が１／４円乃至それ以下とすることによって，耐圧縮膨張性を高度に確保し得るように，その中心を，上記底面の延長線上位置の他，底面近傍乃至底面下方離隔位置として，その半径を防振ゴムの最大径（ブロック形状の設定によっては対角線等の最大長さとなる）より大とする円弧面を用いるようにすること，保形用穿孔の形状を裁頭逆円錐体状のブロック形状の外周に合せた筒状とすること等を含めて，本発明の実施に当って，床支持脚，床下地，床スラブ，防振ゴム，そのブロック形状，保形用穿孔，凹陥逆錐面，床支持脚を用いた床支持構造の各具体的材質，形状，構造，寸法，数，これらの関係，これらに対する付加等は，上記発明の要旨に反しない限り，様々な形態のものとすることができる。
【００２２】
【発明の効果】  本発明は以上のとおりに構成したから，請求項１に記載の発明は，ゴム硬度を６８度以下の軟質として床に加えられる振動を吸収することによって防振ゴムの防振性を向上する一方，該防振ゴムを，裁頭面を底面とする裁頭逆円錐体状のブロック形状とし，中央位置に上下方向に向けた保形用の穿孔を配置し且つ外側面を内側に凹陥した凹陥逆錐面として構成することによって，（ａ）上記裁頭逆円錐体状のブロック形状が，防振ゴムの床スラブに対する接触面積を小さくして防振ゴムの接触による床スラブへの騒音伝達を減少して防振性を向上するとともに断面積を下方に向けて縮小することによって床加重に対するそれ自体の耐圧縮膨張性を確保したものとする上，（ｂ）上記保形用の穿孔が，床加重による防振ゴムの耐圧縮膨張性を更に確保して高度な保形作用を発揮し，（ｃ）外側面の内側に凹嵌した凹陥逆錐面が，同じく耐圧縮膨張性を更に向上して床剛性を確保するようにして，軟質のゴムを使用することによる高度な防振性とブロック形状による床剛性を両立するようにした防振用床支持脚を提供することができる。
【００２３】  請求項２に記載の発明は，上記防振用床支持脚を用いることによって軟質のゴムを使用して高度な防振性によって階下に対する騒音伝達を可及的に防止するとともに高度な床剛性を確保した床支持構造を提供することができる。
【図面の簡単な説明】
【図１】  床支持脚の一部切欠斜視図である。
【図２】  床支持脚の防振ゴム部分を示す部分拡大斜視図である。
【図３】  防振ゴムの拡大縦断面図である。
【図４】  床支持脚を用いた床支持構造を示す縦断面図である。
【符号の説明】
１  床支持脚
２  床スラブ
３  床
１１  防振ゴム
１２  保形用穿孔
１５  ボルト
１７  支持ブロック
３１  床下地